【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
出力における複数の出力設定情報が設定されたホットフォルダを有する情報処理装置であって、
前記ホットフォルダに対して出力データに係る名称と関連付けた出力設定情報を設定する出力設定情報設定手段と、
前記ホットフォルダへの出力データの投入を監視する監視手段と、
前記監視手段によって前記ホットフォルダへの投入が監視された出力データと、前記出力設定情報設定手段によって設定された出力設定情報とを、前記出力データに係る名称に基づいて対応付ける対応付け手段と、
前記対応付け手段によって対応付けられた出力設定情報と出力用のデータとを出力する出力手段と
を備えたことを特徴とする情報処理装置。
【請求項２】
前記ホットフォルダに保存される出力データに係る名称とは、前記ホットフォルダへ投入されたフォルダに含まれるサブフォルダの名称またはサブフォルダ内に保持される出力データの名称である
ことを特徴とする請求項１に記載の情報処理装置。
【請求項３】
前記対応付け手段によって対応付けられた出力設定情報と、
前記ホットフォルダに投入されたフォルダ内の出力データとに基づいて、印刷データを生成する生成手段と
を更に備えたことを特徴とする請求項２に記載の情報処理装置。
【請求項４】
前記出力設定情報設定手段は、前記ホットフォルダへ投入されるサブフォルダ内に複数の出力データが存在する際に適用される出力データの選択ルールを指定する指定手段と、
前記監視手段によって、前記ホットフォルダに投入されたサブフォルダ内に複数の出力データが存在すると判定された場合に、前記指定手段によって指定された前記選択ルールに従って出力データを選択する選択手段と
を更に備えたことを特徴とする請求項２に記載の情報処理装置。
【請求項５】
前記指定手段により指定される選択ルールは、複数の出力データにおいて、前記サブフォルダ内に新しく保存された出力データを出力すべきデータとして選択する
ことを特徴とする請求項４に記載の情報処理装置。
【請求項６】
出力における出力設定情報が設定されたホットフォルダを有する情報処理装置であって、
前記ホットフォルダ内にサブフォルダを作成し、当該作成したサブフォルダ毎に出力設定情報を設定する出力情報設定手段と、
前記ホットフォルダ内のサブフォルダへの出力データの投入を監視する監視手段と、
前記監視手段によって前記ホットフォルダ内のサブフォルダへの投入が監視された出力データと、各サブフォルダに設定されている出力設定情報とを対応付ける対応付け手段と、
前記対応付け手段によって対応付けられた出力設定情報と出力データとを出力する出力手段と
を備えたことを特徴とする情報処理装置。
【請求項７】
前記監視手段が前記ホットフォルダ内における全てのサブフォルダに出力データが投入されたことを検知した場合、前記対応付け手段による各サブフォルダに投入された各出力データと、各サブフォルダに設定されている各出力設定情報との対応付けに従って印刷データを生成する生成手段
を更に備えたことを特徴とする請求項６に記載の情報処理装置。
【請求項８】
前記ホットフォルダは階層ごとにサブフォルダを有し、前記出力情報設定手段は階層ごとのサブフォルダに出力設定情報を設定する
ことを特徴とする請求項６または７に記載の情報処理装置。
【請求項９】
前記出力情報設定手段は、
前記ホットフォルダへ投入されるフォルダのサブフォルダ内に複数の出力データが存在する際に適用される出力データの選択ルールを指定する指定手段と、
前記監視手段によってホットフォルダへの投入が検知されたフォルダのサブフォルダ内に複数の出力データが存在する場合に、前記指定手段によって指定された前記選択ルールに従って出力データを選択する選択手段とを更に有する
ことを特徴とする請求項６乃至８のいずれか１項に記載の情報処理装置。
【請求項１０】
前記指定手段により指定される選択ルールは、複数の出力データにおいて、前記サブフォルダ内に新しく保存された出力データを出力すべきデータとして選択する
ことを特徴とする請求項９に記載の情報処理装置。
【請求項１１】
出力における複数の出力情報が設定されたホットフォルダを有する情報処理装置であって、
前記ホットフォルダへ投入されるフォルダ内の各サブフォルダの階層に関連付けた出力設定情報を設定する出力情報設定手段と、
前記ホットフォルダへのフォルダの投入を監視する監視手段と、
前記監視手段によって前記ホットフォルダへの投入が監視されたフォルダ内の各階層のサブフォルダに含まれる出力データに対して、各階層のサブフォルダに関連付けられている出力設定情報を対応付ける対応付け手段と、
前記対応付け手段によって対応付けられた出力設定情報と出力データとを用いて出力する出力手段と
を備えたことを特徴とする情報処理装置。
【請求項１２】
前記出力データおよび前記出力データに対応付けられた出力設定情報を用いて印刷データを生成する生成手段
を更に備えたことを特徴とする請求項１１に記載の情報処理装置。
【請求項１３】
前記出力情報設定手段は、
前記ホットフォルダへ保存されるフォルダのサブフォルダ内に複数の出力データが存在する際に適用される出力データの選択ルールを指定する第１の指定手段と、
前記監視手段によっては、ホットフォルダへの投入が検知されたフォルダのサブフォルダ内に複数の出力データが存在する場合に、前記第１の指定手段によって指定された前記選択ルールに従って出力データを選択する選択手段とを更に有する
ことを特徴とする請求項１１または１２に記載の情報処理装置。
【請求項１４】
前記指定手段により指定される選択ルールは、複数の出力データにおいて、前記サブフォルダ内に新しく保存された出力データを出力すべきデータとして選択する
ことを特徴とする請求項１３に記載の情報処理装置。
【請求項１５】
前記出力情報設定手段は、前記ホットフォルダへ保存されるフォルダのサブフォルダにおいて、予め定められた階層を越えるサブフォルダが存在する場合の、出力の出力設定適用ルールを指定する第２の指定手段を有し、
前記監視手段は、前記予め定められた階層を越えるサブフォルダが存在する場合に、前記第２の指定手段によって指定された前記出力設定適用ルールに従って、予め定められた階層を越えるサブフォルダに出力の出力設定情報を設定する出力設定適用手段を有する
ことを特徴とする請求項１１乃至１４のいずれか１項に記載の情報処理装置。
【請求項１６】
前記出力設定適用ルールは、前記予め定められた階層を越えるサブフォルダに対して設定する出力設定情報として、指定された階層におけるサブフォルダの出力設定情報を用いるのか、予め定められた階層を越えるサブフォルダを保存させないのかを判断するための情報である
ことを特徴とする請求項１５に記載の情報処理装置。
【請求項１７】
出力における複数の出力設定情報が設定されたホットフォルダを有する情報処理装置の情報処理方法であって、
出力設定情報設定手段が、前記ホットフォルダに対して出力データに係る名称と関連付けた出力設定情報を設定する出力設定情報設定ステップと、
監視手段が、前記ホットフォルダへの出力データの投入を監視する監視ステップと、
対応付け手段が、前記監視ステップによって前記ホットフォルダへの投入が監視された出力データと、前記出力設定情報設定ステップにおいて設定された出力設定情報とを、前記出力データに係る名称に基づいて対応付ける対応付けステップと、
出力手段が、前記対応付けステップにおいて対応付けられた出力設定情報と出力用のデータとを出力する出力ステップと
を備えたことを特徴とする情報処理方法。
【請求項１８】
出力における出力設定情報が設定されたホットフォルダを有する情報処理装置の情報処理方法であって、
出力情報設定手段が、前記ホットフォルダ内にサブフォルダを作成し、当該作成したサブフォルダ毎に出力設定情報を設定する出力情報設定ステップと、
監視手段が、前記ホットフォルダ内のサブフォルダへの出力データの投入を監視する監視ステップと、
対応付け手段が、前記監視ステップによって前記ホットフォルダ内のサブフォルダへの投入が監視された出力データと、各サブフォルダに設定されている出力設定情報とを対応付ける対応付けステップと、
出力手段が、前記対応付けステップによって対応付けられた出力設定情報と出力データとを出力する出力ステップと
を備えたことを特徴とする情報処理方法。
【請求項１９】
出力における複数の出力情報が設定されたホットフォルダを有する情報処理装置の情報処理方法であって、
出力情報設定手段が、前記ホットフォルダへ投入されるフォルダ内の各サブフォルダの階層に関連付けた出力設定情報を設定する出力情報設定ステップと、
監視手段が、前記ホットフォルダへのフォルダの投入を監視する監視ステップと、
対応付け手段が、前記監視ステップによって前記ホットフォルダへの投入が監視されたフォルダ内の各階層のサブフォルダに含まれる出力データに対して、各階層のサブフォルダに関連付けられている出力設定情報を対応付ける対応付けステップと、
出力手段が、前記対応付けステップによって対応付けられた出力設定情報と出力データとを用いて出力する出力ステップと
を備えたことを特徴とする情報処理方法。
【請求項２０】
請求項１７乃至１９のいずれか１項に記載の情報処理方法の各ステップをコンピュータにより実行させることを特徴とするプログラム。
【手続補正２】
【補正対象書類名】明細書
【補正対象項目名】０００８
【補正方法】変更
【補正の内容】
【０００８】
このような目的を達成するために、本発明の情報処理装置は、出力における複数の出力設定情報が設定されたホットフォルダを有する情報処理装置であって、前記ホットフォルダに対して出力データに係る名称と関連付けた出力設定情報を設定する出力設定情報設定手段と、前記ホットフォルダへの出力データの投入を監視する監視手段と、前記監視手段によって前記ホットフォルダへの投入が監視された出力データと、前記出力設定情報設定手段によって設定された出力設定情報とを、前記出力データに係る名称に基づいて対応付ける対応付け手段と、前記対応付け手段によって対応付けられた出力設定情報と出力用のデータとを出力する出力手段とを備えたことを特徴とする。
【手続補正３】
【補正対象書類名】明細書
【補正対象項目名】０００９
【補正方法】変更
【補正の内容】
【０００９】
また上記目的を達成するために、本発明の情報処理装置は、出力における出力設定情報が設定されたホットフォルダを有する情報処理装置であって、前記ホットフォルダ内にサブフォルダを作成し、当該作成したサブフォルダ毎に出力設定情報を設定する出力情報設定手段と、前記ホットフォルダ内のサブフォルダへの出力データの投入を監視する監視手段と、前記監視手段によって前記ホットフォルダ内のサブフォルダへの投入が監視された出力データと、各サブフォルダに設定されている出力設定情報とを対応付ける対応付け手段と、前記対応付け手段によって対応付けられた出力設定情報と出力データとを出力する出力手段とを備えたことを特徴とする。
【手続補正４】
【補正対象書類名】明細書
【補正対象項目名】００１０
【補正方法】変更
【補正の内容】
【００１０】
また上記目的を達成するために、本発明の情報処理装置は、出力における複数の出力情報が設定されたホットフォルダを有する情報処理装置であって、前記ホットフォルダへ投入されるフォルダ内の各サブフォルダの階層に関連付けた出力設定情報を設定する出力情報設定手段と、前記ホットフォルダへのフォルダの投入を監視する監視手段と、前記監視手段によって前記ホットフォルダへの投入が監視されたフォルダ内の各階層のサブフォルダに含まれる出力データに対して、各階層のサブフォルダに関連付けられている出力設定情報を対応付ける対応付け手段と、前記対応付け手段によって対応付けられた出力設定情報と出力データとを用いて出力する出力手段とを備えたことを特徴とする。